(57)【要約】【課題】鉄筋類支持架台のベース側に必要な被り量を確保するとともに、鉄筋類支持架台自体の自立性を改善して鉄筋に対する支持の安定性を向上することができ、また逆打ち工法における梁形成作業に使用した場合でも梁下面へのベースの露出をなくすことのできる鉄筋類支持架台用のスペーサーを提供する。【解決手段】スペーサー１０は、全体が補強繊維入りモルタルの一体成形からなり、鉄筋類支持架台１のベース５が載置されるベース受け部と、その側面の下端部側において水平方向に突出する固定部１２から構成される。ベース受け部の上部には、インサート部材が上面に開口した状態で埋設され、ベース５の四隅に設けられた貫通孔を通してボルト７によりベース５と結合する。スペーサー１０と結合した鉄筋類支持架台１は、固定部１２に設けられた孔を介してコンクリート釘で捨てコンクリートＧに固定される。【選択図】      図４
2005314979.tif 000002
【特許請求の範囲】
【請求項１】
上方に鉄筋類支持部を備える支柱の下端部にベースが設けられた鉄筋類支持架台の当該ベースと設置面との間に配置されてコンクリートの被り空間を形成するスペーサーであって、前記ベースを設置面に対してほぼ平行な上面で支持しながら結合手段を介してベースと結合するベース受け部と、このベース受け部の側面にその上面よりも低い位置でほぼ水平方向に突出して固定手段を介し設置面に固定される固定部を備えることを特徴とする鉄筋類支持架台用スペーサー。
【請求項２】
前記ベース受け部の側面が、上面に対する角度において前記固定部側よりも軸心を挟む対向位置側が大きいことを特徴とする請求項１に記載の鉄筋類支持架台用スペーサー。
【請求項３】
前記固定部が、前記ベース受け部の側面の少なくとも２個所にほぼ９０度の間隔で設けられていることを特徴とする請求項１または２に記載の鉄筋類支持架台用スペーサー。
【請求項４】
前記ベース受け部の結合手段が、雌ネジ孔をベース受け部の上面に開口した状態で内部に埋設されたインサート部材であることを特徴とする請求項１ないし３のいずれか一項に記載の鉄筋類支持架台用スペーサー。
【発明の詳細な説明】
【技術分野】
【０００１】
本発明は、例えば基礎鉄筋等の配筋作業に使われる鉄筋類支持架台を捨てコンクリート上などに設置する場合、鉄筋類支持架台の下端部と設置面との間に所定の被り空間を形成するためのスペーサーに関する。
【背景技術】
【０００２】
従来、この種の鉄筋類を支持するために使用される鉄筋類支持架台については、例えば特許文献１あるいは特許文献２に記載され、これ以外にも多くのものが提案されている。これらの鉄筋類支持架台は、基本構造として上部に鉄筋支持部を備えた支柱の下端部に平板等からなるベースが固着され、そのベースを介して捨てコンクリート上に直に載置して使用されていた。すなわち、前記ベースは、その下面が捨てコンクリート上に接した状態に設置されるため、打設したコンクリートがベースの裏側に流入することは実質的になかった。また、捨てコンクリート上面の凹凸などの不陸によってベースの下面と設置面との接触状態が直接的に影響を受けるため、それらの間のガタにより鉄筋類支持架台自体の安定した自立性が阻害され、鉄筋に対する支持の安定性が低下し、延いては配筋作業に悪影響を与える虞もあった。さらに、従来の鉄筋類支持架台を逆打ち工法における梁の形成作業に適用した場合には、金属製のベース下面がそのまま梁の下部に露出してしまうという問題もあった。
【特許文献１】特開平７−２９２９８３号公報
【特許文献２】特開２００１−１２３５８１号公報
【発明の開示】
【発明が解決しようとする課題】
【０００３】
前記従来技術による鉄筋類支持架台を基礎鉄筋の配筋作業に適用した場合には、コンクリートの打設後においてベース下面と捨てコンクリートとの間に隙間が残りやすい。本発明者らは、この隙間を介して浸入した水分が鉄筋類支持架台自体の表面を腐食し、長期的にはその鉄筋支持部を介して鉄筋側にも腐食が進む虞があるという問題意識を持つに至ったのである。本発明は、以上のような従来技術に対する問題意識の下になされたもので、鉄筋類支持架台のベース側に十分な被り量を確保するとともに、鉄筋類支持架台自体の自立性を改善して鉄筋に対する支持の安定性を向上することができ、さらに逆打ち工法における梁形成作業に使用した場合でも梁部下面へのベースの露出をなくすことができる鉄筋類支持架台用スペーサーを提供することを目的とする。
【課題を解決するための手段】
【０００４】
上記課題を解決するため、本発明では、上方に鉄筋類支持部を備える支柱の下端部にベースが設けられた鉄筋類支持架台の当該ベースと設置面との間に配置されてコンクリートの被り空間を形成する鉄筋類支持架台用スペーサーにおいて、前記ベースを設置面に対してほぼ平行な上面で支持しながら結合手段を介してベースと結合するベース受け部と、このベース受け部の側面にその上面よりも低い位置でほぼ水平方向に突出して固定手段を介し設置面に固定される固定部を備えるという技術手段を採用した。
【０００５】
上記構成において、前記ベース受け部における側面の上面に対する角度を、前記固定部側よりも軸心を挟む対向位置側が大きくなるようにしたり、前記固定部を前記ベース受け部の側面の少なくとも２個所にほぼ９０度の間隔で設けてもよい。さらに、前記ベース受け部の結合手段としては、雌ネジ孔をベース受け部の上面に開口した状態で内部に埋設されたインサート部材が好適である。なお、前記固定部は、固定部自体が適宜の固定手段を備えているか、あるいはコンクリート釘などの他の部材により設置面に固定されるようにしてもよい。
【発明の効果】
【０００６】
本発明による鉄筋類支持架台用スペーサーでは、次のような効果を得ることができる。
（１）鉄筋類支持架台のベースの下面側にスペーサーを設けることにより、ベースと設置面との間に間隔が形成され、コンクリートの打設時には、ベースの下部側にもコンクリートが流入してベースの下方に対する十分な被りが形成される。これにより、設置面との間隙から水分が浸入して鉄筋類支持架台自体の腐食や鉄筋に対する腐食を誘引するといった従来の問題は的確に解消される。なお、鉄筋類支持架台を逆打ち工法における梁形成に適用した場合にも、ベースの下部にコンクリートが確実に流入し、梁の下面にはスペーサーの底面部分しか露出しないので好都合である。
（２）スペーサーがベース受け部の上面に設けられた結合手段により鉄筋類支持架台のベースに結合されるとともに、固定部においてコンクリート釘等の適宜の固定手段を介し設置面に固定されることにより、鉄筋類支持架台はスペーサーを介して設置面に確実に固定されることになるので、例えば基礎梁の配筋作業などにおける横方向からの荷重に対する鉄筋類支持架台の安定性が大幅に向上する。
（３）鉄筋類支持架台のベースに対して、複数のスペーサーをその所々に互いに十分な間隔を残して設けた場合には、捨てコンクリートなどの設置面に存在する不陸の影響を受け難くなることから、設置時における鉄筋類支持架台自体の自立性が向上し、鉄筋類に対する支持の安定性も併せて高まる。
（４）ベース受け部側面の上面に対する角度を固定部側よりも軸心を挟む対向位置側を大きくした場合、すなわち側面の傾斜角度を反固定部側のほうを大きくすれば、鉄筋類支持架台に対して横方向からの荷重が負荷されたとき、固定部に存在するコンクリート釘等の固定手段への引抜力を軽減することができ、鉄筋類支持架台の安定性はより向上する。
（５）固定部がベース受け部の側面の少なくとも２個所にほぼ９０度の間隔で設けられたスペーサーを、矩形状のベースを有する鉄筋類支持架台に対して、その四隅に互いの頂部が正対するように結合した場合には、ベースの４辺すべてにおいて、固定部が２個ずつ矩形状ベースの各辺に対してそれぞれ直角に突出することになるので、横方向からの荷重がベースのいずれの辺に向けられても安定した自立状態が保たれる。
（６）ベース受け部の結合手段としてインサート部材を使用すれば、スペーサー全体が嵩張らず梱包等の点で好都合である。
【発明を実施するための最良の形態】
【０００７】
本発明に係るスペーサーは、設置面とベースとの間にコンクリートの被りが求められる種々の鉄筋類支持架台に適用することができる。すなわち、基礎梁等を形成する際の鉄筋支持架台の他には、例えば露出型鉄骨柱脚におけるアンカーボルト定着装置として、異形鉄筋、ネジ鉄筋、丸鋼等の鉄筋類からなるアンカーボルトの支持架台などである。したがって、その鉄筋支持部、支柱、ベースの具体的な構成には限定されない。スペーサーを構成する素材としては、コンクリートやモルタル、セラミックスなどが好適であり、特にセメント系では高強度モルタルあるいはプラスチック短繊維の混入などにより補強したものがよい。なお、逆打ち工法において梁の形成に適用する場合には、梁と同材質のものが望ましい。以下、本発明の実施例について、図面を参照しながら説明する。
【実施例１】
【０００８】
図１ないし図３は、本発明の第１実施例に係る鉄筋類支持架台用スペーサーのそれぞれ平面図、右側面図および平面図中央横断面図である。図示のスペーサー１０は、例えば全体が補強繊維入りモルタルの一体成形からなり、鉄筋類支持架台のベース（図示せず）が載置されるベース受け部１１と、その側面の下端部側において水平方向に突出する固定部１２から構成される。ここで、ベース受け部１１の上端側には、前記ベースとの結合手段としてのインサート部材１３が、その雌ネジ孔を上面１１ａに開口した状態で埋設されている。インサート部材１３の埋設深さは、必要な被り量やスペーサー１０の高さなどを考慮して適宜選定される。また、固定部１２には、設置面に対する固定手段として、コンクリート釘等を受け入れ可能なテーパー孔１４が上面側から底面側に向けて貫通している。なお、スペーサー１０の各側面は、製造上の理由等により、底面側が大きい抜け勾配に設定されているが、略直方体状のベース受け部１１においては、図３に明示されるように、固定部１２側の側面１１ｂよりも軸心を挟む対向側の側面１１ｃの傾斜が大きくなっている。すなわち、上面１１ａに対するそれぞれの側面１１ｂ、側面１１ｃの角度は、側面１１ｃ側のほうが大きく、下部側が実質的に外側に張り出した状態になる。これにより、後述する鉄筋類支持架台に適用した状態で横からの荷重が負荷され、固定部１２側が浮上がるような力が働いたときに、その力が軽減されることになる。
【０００９】
図４は、第１実施例に係るスペーサー１０を鉄筋類支持架台に適用した状態を示している。この鉄筋類支持架台１は、梁鉄筋の配筋作業に使われるもので、上部に鉄筋支持部２を備えた異形鉄筋からなる上部支柱３と、その上部支柱３を昇降可能に支持したアングル材からなる下部支柱４と、この下部支柱４の下端部に固着された矩形平板状のベース５から構成されている。なお、上部支柱３と下部支柱４とは、任意の相対位置で押しボルト６により固定可能になっている。そして、鉄筋類支持架台１は、捨てコンクリートＧに対して、スペーサー１０を介在した状態で設置される。ここで、鉄筋類支持架台１のベース５には、その四隅に貫通孔が穿設されているので、それら貫通孔にボルト７を挿通してスペーサー１０のベース受け部１１の上面に開口したインサート部材１３に螺合することにより、スペーサー１０をベース５の下面側に結合することができる。そして、予めスペーサー１０を結合した鉄筋類支持架台１は、捨てコンクリートＧ上の所定位置に置いた後、固定部１２のテーパー孔１４を利用してコンクリート釘（図示せず）により固定される。この際、固定部１２はベース５の周縁よりも外側に位置しているのでコンクリート釘を容易に打ち込むことができる。
【００１０】
このようにして、捨てコンクリートＧ上に必要な被り量を確保して所定の間隔で固定された複数の鉄筋類支持架台１に対して、一般的には、上部の鉄筋支持部２上に基礎梁等の上端筋Ｒを載置して支持し、さらにこれら上端筋Ｒを基にスターラップ筋を用いて下端筋を支持するといった配筋作業が実施されることになる。この場合、図４に示すように、それぞれのスペーサー１０の固定部１２が、上端筋Ｒ等の梁主筋の配列方向と直交するように配置された状態で固定されるため、斯かるスペーサー１０を介して捨てコンクリートＧに固定された鉄筋類支持架台１は、梁主筋の配列方向に対して横から荷重が加わえられた場合でも強く抵抗し、倒伏や位置ズレを起こすことはない。
【００１１】
図５は、鉄筋類支持架台として、露出型鉄骨柱脚におけるアンカーボルト定着装置に前記スペーサー１０を適用した事例を示している。このアンカーボルト定着装置１００は、各アングル材の一端側が突出した状態で略矩形状に組み立てられたベース１０１の四隅にアングル材からなる支柱１０２が立設され、それらの上方に設けられた鉄筋支持部１０３において鉄筋等からなるアンカーボルト１０４の複数本を垂直状態に保持するものである。この場合には、支柱１０２の下端が結合された場所に近いベース１０１の水平面部分に設けられ貫通孔を利用することにより、梁鉄筋の配筋作業用の鉄筋類支持架台１と同様にスペーサー１０を介在させて必要な被り量を確保しながら確実に固定することができる。
【実施例２】
【００１２】
図６，７は、本発明の第２実施例を示したもので、それぞれ平面図と平面図中央横断面図である。なお、以下の実施例を含め、前記第１実施例と同一部分については同一符号で示し、詳細な説明は省略する。図示のスペーサー２０は、略円柱状のベース受け部２１と、その側面の下端部側において水平方向に突出する固定部２２からなり、全体が曲線的に形成されている。ベース受け部２１における固定部２２側とその対向位置側の側面は第１実施例と同様な傾斜角の関係であり、スペーサー２０の使用方法等についても同様である。
【実施例３】
【００１３】
図８ないし図１０は、本発明の第３実施例を示したもので、それぞれ平面図、右側面図およびＡ−Ａ線断面図である。図示のスペーサー３０は、第１実施例を基本とし、ベース受け部３１の側面に固定部３２を９０度の間隔で２個所に設けたものである。そして、このスペーサー３０は、図１１に示すように鉄筋類支持架台１のベース５の各隅部において、スペーサー３０の２個所の固定部３２が、矩形状のベース５における各辺に対してそれぞれ直角の方向に突出するように取り付けられる。この場合には、ベース５の４辺すべてにおいて、隅部の近くにそれぞれ固定部３２が存在するので、それらの位置と固定個所の増加に伴ってスペーサー３０を介した捨てコンクリートＧへの固定度が一段と高まる。これにより、梁主筋Ｒの配列方向と直角の方向からの荷重、あるいは配列方向への荷重のいずれに対しても鉄筋類支持架台１は抵抗することができ、自立状態の安定性は第１実施例よりもさらに向上する。
【実施例４】
【００１４】
図１２は、本発明に係るスペーサーの第４実施例の平面図である。図示のスペーサー４０は、前記各実施例と同様に基礎梁用の鉄筋類支持架台１を対象とし、１個で鉄筋類支持架台１に対応する構成のものである。すなわち、スペーサー４０は全体として円盤状に形成され、その片面側が十字状に盛り上がり、その十字状部分がベース受け部４１になっている。そして、ベース受け部４１の上面よりも低いその余の部分が、設置面に対する固定部４２として利用される。十字状のベース受け部４１の各先端部付近には、前記各実施例と同様に鉄筋類支持架台１のベース５との結合手段となるインサート部材１３が埋設されている。一方、十字状のベース受け部４１で区切られた各固定部４２には、その周縁に略Ｕ字状の切欠４３が設けられ、後施工アンカー等の固定手段を介して設置面に固定できるようになっている。なお、切欠４３に代えて前記実施例のようなテーパー孔とし、コンクリート釘で固定するようにしてもよい。
【実施例５】
【００１５】
図１３は、本発明に係るスペーサーの第５実施例の平面図である。図示のスペーサー５０は、前記第４実施例と同様に１個で鉄筋類支持架台１に対応するもので、全体が十字状に形成されている。この場合、それぞれの先端側部分を除く大半の部分５１がベース受け部となる。先端側部分５２は、ベース受け部５１よりも低く形成され、固定部として利用される。
【００１６】
なお、上記第１実施例ないし第３実施例では、ベース受け部の側面について、固定部側とその対向位置側の傾斜角度を異ならせた事例について説明したが、同じ角度にしたり、あるいは傾斜させなくともよい。さらに、ベース受け部の結合手段についてもインサート部材に代えてボルトの頭部側を埋設したり、全体形状を他の形状に変更するなど、この発明の技術思想内での種々の変更実施はもちろん可能である。
【図面の簡単な説明】
【００１７】
【図１】本発明による鉄筋類支持架台用スペーサの一例を示す平面図である。
【図２】上記スペーサの右側面図である。
【図３】上記スペーサの平面図中央横断面図である。
【図４】上記スペーサの使用状態を示す説明図である。
【図５】上記スペーサの他の使用状態を示す説明図である。
【図６】本発明による鉄筋類支持架台用スペーサの他の例を示す平面図である。
【図７】上記スペーサの平面図中央横断面図である。
【図８】本発明による鉄筋類支持架台用スペーサの他の例を示す平面図である。
【図９】上記スペーサの右側面図である。
【図１０】上記スペーサのＡ−Ａ線断面図である。
【図１１】上記スペーサの使用状態を示す説明図である。
【図１２】本発明による鉄筋類支持架台用スペーサの他の例を示す平面図である。
【図１３】本発明による鉄筋類支持架台用スペーサの他の例を示す平面図である。
【符号の説明】
【００１８】
１，１００…鉄筋類支持架台、２，１０３…鉄筋支持部、３，４，１０２…支柱、５，１０１…ベース、１０，２０，３０，４０，５０…鉄筋類支持架台用スペーサ、１１，２１，３１，４１，５１…ベース受け部、１２，２２，３２，４２，５２…固定部、１３…インサート部材、１４…テーパー孔
【図１】
2005314979.tif 000003
【図２】
2005314979.tif 000004
【図３】
2005314979.tif 000005
【図４】
2005314979.tif 000006
【図５】
2005314979.tif 000007
【図６】
2005314979.tif 000008
【図７】
2005314979.tif 000009
【図８】
2005314979.tif 000010
【図９】
2005314979.tif 000011
【図１０】
2005314979.tif 000012
【図１１】
2005314979.tif 000013
【図１２】
2005314979.tif 000014
【図１３】
2005314979.tif 000015